(57)【要約】【課題】  ヘッドを案内するランプ機構を記録ディスクメディアの表面に近接させた構成であっても、ディスクドライブに装填した際の記録ディスクメディアの損傷を防ぐことができる記録ディスクカートリッジを提供することを課題とする。【解決手段】  フレキシブルな磁気ディスクメディア４１をカートリッジケース２内に収納した磁気ディスクカートリッジ１であって、カートリッジケース２内に進入した磁気ヘッド６３を案内するケース側ランプ機構５０を備えており、ケース側ランプ機構５０がディスクドライブ６０に設けられたドライブ側ランプ機構７０に接続されることにより、磁気ヘッド６３は、ケース側ランプ機構５０およびドライブ側ランプ機構７０に案内されながら、磁気ディスクメディア４１上にロード／アンロードするように構成されていることを特徴としている。【選択図】      図１
2006054013.tif 000002
【特許請求の範囲】
【請求項１】
ディスクドライブに設けられたヘッドによりデータの記録および／または再生が行われるフレキシブルな記録ディスクメディアをカートリッジケース内に回転可能に収納した記録ディスクカートリッジであって、
前記カートリッジケースは、前記ヘッドが進入する開口部が形成されているとともに、
前記開口部から前記カートリッジケース内に進入した前記ヘッドを、前記記録ディスクメディア上に案内するケース側ランプ機構を備えており、
前記ケース側ランプ機構が前記ディスクドライブに設けられたドライブ側ランプ機構に接続されることにより、前記ヘッドは、前記ケース側ランプ機構および前記ドライブ側ランプ機構に案内されながら、前記記録ディスクメディア上にロード／アンロードするように構成されていることを特徴とする記録ディスクカートリッジ。
【請求項２】
前記カートリッジケース内には、複数の前記記録ディスクメディアが収納されており、
前記各記録ディスクメディアに対して設けられた複数の前記ヘッドを案内するために、複数の前記ケース側ランプ機構が設けられていることを特徴とする請求項１に記載の記録ディスクカートリッジ。
【請求項３】
前記ケース側ランプ機構には、前記ヘッドまたは前記ヘッドを保持するスイングアームが摺動して案内されるガイド面が設けられていることを特徴とする請求項１または請求項２に記載の記録ディスクカートリッジ。
【請求項４】
前記ケース側ランプ機構には、前記ドライブ側ランプ機構と係合して接続するための係合部が設けられていることを特徴とする請求項１から請求項３のいずれか１項に記載の記録ディスクカートリッジ。
【発明の詳細な説明】
【技術分野】
【０００１】
本発明は、フレキシブルな記録ディスクメディアを備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。このような磁気ディスクメディアが収納されているカートリッジケース内に磁気ヘッドを進入させ、磁気ヘッドを磁気ディスクメディア上にロードさせることにより、磁気ディスクメディアに対してデータの記録および／または再生を行うことができる。
【０００３】
ここで、図５（ａ）の側断面図、および図５（ｂ）の平面図に示すように、磁気ヘッド６３は、ディスクドライブ６０’に設けられたスイングアーム６２の先端部に取り付けられており、このスイングアーム６２の基端部に設けられたアクチュエータ６１の回動によってカートリッジケース２’に出入し、磁気ディスクメディア４１上にロード／アンロードするように構成されている。なお、図５（ａ）に示したカートリッジケース２’内には、２枚の磁気ディスクメディア４１，４１がその回転軸方向に並べて収納されており、各磁気ディスクメディア４１，４１の両面を挟み込むようにして磁気ヘッド６３・・・が設けられている。
【０００４】
また、従来のディスクドライブ６０’には、磁気ヘッド６３をカートリッジケース２に出入させる際に、磁気ヘッド６３を磁気ディスクメディア４１上に案内するためのランプ機構８０が設けられており、スイングアーム６２の先端部に設けられたスライド部材６６が、ランプ機構８０のガイド面８１を摺動することにより、磁気ヘッド６３が磁気ディスクメディア４１上に案内されるように構成されている（例えば、特許文献１参照）。
【０００５】
これにより、磁気ヘッド６３をカートリッジケース２’内から退避させた際には、スイングアーム６２がランプ機構８０によって所定位置に保持されるため、カートリッジケース２’の振動によって磁気ヘッド６３が他の部品に接触したり、磁気ヘッド６３，６３同士が接触して損傷してしまうことを防ぐことができる。
【特許文献１】特開２０００−１３７９６６号公報（段落００３７〜段落００３８、図３、図６）
【発明の開示】
【発明が解決しようとする課題】
【０００６】
ここで、磁気ヘッド６３をカートリッジケース２’に出入させる際に、磁気ディスクメディア４１の外縁部と磁気ヘッド６３との接触を防ぐには、スイングアーム６２のスライド部材６６を、磁気ディスクメディア４１上でランプ機構８０に乗り上げ、または降ろす必要がある。そのためには、ランプ機構８０の先端部を磁気ディスクメディア４１上にオーバーラップさせる必要があり、カートリッジケース２’をディスクドライブ６０’に装填する際に、磁気ディスクメディア４１の外縁部がランプ機構８０に掛かるように進入させる必要がある。
【０００７】
なお、フレキシブルな磁気ディスクメディア４１は、ロール状に形成されたシート状の素材を打ち抜いて製造されており、その外縁部に反りが生じている場合があるため、磁気ディスクメディア４１の表面をランプ機構８０に近接させた場合には、磁気ディスクカートリッジをディスクドライブ６０’に装填した際に、磁気ディスクメディア４１がランプ機構８０に接触して、磁気ディスクメディア４１が損傷してしまうという問題がある。
【０００８】
一方、磁気ディスクメディア４１とランプ機構８０との間隔を広く設定した場合には、１枚の磁気ディスクメディア４１を収納するために必要な領域が大きくなってしまうため、カートリッジケース２’内に収納可能な磁気ディスクメディア４１の枚数が少なくなってしまうという問題がある。
【０００９】
本発明では、前記した問題を解決し、ヘッドを記録ディスクメディア上に案内するランプ機構を、記録ディスクメディアの表面に近接させた構成であっても、ディスクドライブに装填した際の記録ディスクメディアの損傷を防ぐことができる記録ディスクカートリッジを提供することを課題とする。
【課題を解決するための手段】
【００１０】
前記課題を解決するため、請求項１に記載の発明は、ディスクドライブに設けられたヘッドによりデータの記録および／または再生が行われるフレキシブルな記録ディスクメディアをカートリッジケース内に回転可能に収納した記録ディスクカートリッジであって、カートリッジケースは、ヘッドが進入する開口部が形成されているとともに、開口部からカートリッジケース内に進入したヘッドを、記録ディスクメディア上に案内するケース側ランプ機構を備えており、ケース側ランプ機構がディスクドライブに設けられたドライブ側ランプ機構に接続されることにより、ヘッドは、ケース側ランプ機構およびドライブ側ランプ機構に案内されながら、記録ディスクメディア上にロード／アンロードするように構成されていることを特徴としている。
【００１１】
このように、本発明の記録ディスクカートリッジでは、ヘッドを記録ディスクメディア上に案内するケース側ランプ機構がカートリッジケースに設けられており、このケース側ランプ機構をディスクドライブに設けられたドライブ側ランプ機構と接続することにより、ヘッドがケース側ランプ機構およびドライブ側ランプ機構に案内されながら、カートリッジケースに出入するように構成されている。これにより、本発明の記録ディスクカートリッジをディスクドライブに装填する際には、従来のように、記録ディスクメディアをディスクドライブ側のランプ機構に掛かるように進入させる必要がなくなるため、ヘッドを記録ディスクメディア上に案内するケース側ランプ機構を、記録ディスクメディアの表面に近接させた構成であっても、記録ディスクメディアとランプ機構との接触による損傷を防ぐことができる。
【００１２】
また、請求項２に記載の発明は、請求項１に記載の記録ディスクカートリッジであって、  カートリッジケース内には、複数の記録ディスクメディアが収納されており、各記録ディスクメディアに対して設けられた複数のヘッドを案内するために、複数のケース側ランプ機構が設けられていることを特徴としている。
【００１３】
このように、本発明の記録ディスクカートリッジでは、記録ディスクメディアの表面にケース側ランプ機構を近接させることができるため、１枚の記録ディスクメディアを収納するために必要な領域を小さくすることができる。これにより、カートリッジケース内に収納可能な記録ディスクメディアの枚数を多くすることができ、１個の記録ディスクカートリッジの記憶容量を大きくすることができる。
【００１４】
また、請求項３に記載の発明は、請求項１または請求項２に記載の記録ディスクカートリッジであって、ケース側ランプ機構には、ヘッドまたはヘッドを保持するスイングアームが摺動して案内されるガイド面が設けられていることを特徴としている。
【００１５】
このように、本発明の記録ディスクカートリッジでは、ヘッドまたはヘッドを保持するスイングアームが摺動して案内されるガイド面がケース側ランプ機構に設けられているため、ヘッドを円滑に移動させることができる。
【００１６】
また、請求項４に記載の発明は、請求項１から請求項３のいずれか１項に記載の記録ディスクカートリッジであって、ケース側ランプ機構には、ドライブ側ランプ機構と係合して接続するための係合部が設けられていることを特徴としている。
【００１７】
このように、本発明の記録ディスクカートリッジでは、ドライブ側ランプ機構と係合して接続するための係合部がケース側ランプ機構に設けられているため、ケース側ランプ機構とドライブ側ランプ機構が別体であるにも拘わらず、両者を確実に接続することができる。
【発明の効果】
【００１８】
このような記録ディスクカートリッジによれば、ヘッドを記録ディスクメディア上に案内するケース側ランプ機構がカートリッジケースに設けられており、本発明の記録ディスクカートリッジをディスクドライブに装填した際には、従来のように、記録ディスクメディアをディスクドライブ側のランプ機構に掛かるように進入させる必要がなくなるため、ヘッドを記録ディスクメディア上に案内するケース側ランプ機構を、記録ディスクメディアの表面に近接させた構成であっても、記録ディスクメディアとランプ機構との接触による損傷を防ぐことができる。
また、記録ディスクメディアの表面にケース側ランプ機構を近接させることができるため、１枚の記録ディスクメディアを収納するために必要な領域を小さくすることができる。これにより、カートリッジケース内に複数の記録ディスクメディアを収納した場合には、カートリッジケース内に収納可能な記録ディスクメディアの枚数を多くすることができ、１個の記録ディスクカートリッジの記憶容量を大きくすることができる。
【発明を実施するための最良の形態】
【００１９】
次に、本発明の実施形態について、適宜図面を参照しながら詳細に説明する。
本実施形態においては、記録ディスクメディアの一例として磁気ディスクメディアを採用した場合について説明する。
図１は、本実施形態の磁気ディスクカートリッジを示した外観斜視図である。図２は、本実施形態の磁気ディスクカートリッジを示した図で、図１のII−II断面図である。図３は、本実施形態のケース側ランプ機構を示した外観斜視図である。図４は、本実施形態のケース側ランプ機構の積層構造を示した側断面図である。
なお、以下の説明において、上下は、磁気ディスクカートリッジの典型的な使用状態を基準とし、便宜上磁気ディスクメディアの面に垂直な方向を上下と称する。
【００２０】
図１および図２に示すように、記録ディスクカートリッジの一例である磁気ディスクカートリッジ１は、下壁を構成する下プレート１０と、複数枚、例えば４枚のインナプレート２０と、上壁を構成する上プレート３０とが順に積層されることによってカートリッジケース２が構成されている。前記した下プレート１０、各インナプレート２０・・・、上プレート３０は、平面視でおよそ正方形に形成されており、各プレート１０，２０，３０の四隅が４つのネジ（図示せず）で締結されることにより固定されている。そして、下プレート１０とインナプレート２０の間、インナプレート２０同士の間、およびインナプレート２０と上プレート３０の間のそれぞれには、磁気ディスクメディア４１が配置されている。
【００２１】
磁気ディスクメディア４１は中央に開口部４１ａを有する円盤形状であり、ポリエステルなどの樹脂シートに磁性塗料を両面に塗布したものである。また、開口部４１ａの縁には金属製のセンタコア４２が貼り付けられており、センタコア４２同士がスペーサ４３，４３’により係合している５枚の磁気ディスクメディア４１（この積層・一体化された磁気ディスクメディア４１をディスクスタック４０とする）が一体に回転するように構成されている。
【００２２】
ここで、磁気ディスクメディア４１に対するデータの記録および／または再生について説明する。
磁気ディスクメディア４１に対してデータの記録および／または再生を行う際には、まず、磁気ディスクカートリッジ１をディスクドライブ６０に装填し、ディスクドライブ６０に設けられたスピンドル６５によって、ディスクスタック４０を回転させる。
続いて、ディスクドライブ６０に設けられた磁気ヘッド６３をカートリッジケース２内に進入させ、磁気ヘッド６３を磁気ディスクメディア４１上にロードさせることにより、磁気ディスクメディア４１に対してデータの記録および／または再生を行うことができる。
具体的に説明すると、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１の表面の磁界変化を磁気ヘッド６３で検知して、信号が出力される。
【００２３】
なお、磁気ヘッド６３は、図２および図４に示すように、各磁気ディスクメディア４１・・・の両面に対して２基１組で設けられており、本実施形態では、５組の磁気ヘッド６３・・・、すなわち１０基の磁気ヘッド６３・・・によって、５枚の磁気ディスクメディア４１・・・の両面に対してデータの記録および／または再生が行われるように構成されている。
また、各磁気ヘッド６３・・・は、ディスクドライブ６０に設けられた１０体のスイングアーム６２・・・の先端部６４に各々取り付けられており、各スイングアーム６２・・・の基端部に設けられたアクチュエータ６１によって各スイングアーム６２・・・が一体に回転することにより、各磁気ヘッド６３・・・がカートリッジケース２に出入し、各磁気ディスクメディア４１・・・上にロードするように構成されている。
【００２４】
さらに、磁気ヘッド６３は、磁気ディスクメディア４１の表面に近接した状態でデータの記録および／また再生を行うことができるため、スイングアーム６２を磁気ディスクメディア４１の表面に向けて付勢させ、磁気ディスクメディア４１の回転に伴う気流による浮力によって、磁気ヘッド６３が磁気ディスクメディア４１の表面に近接した状態を保つように構成されている。
また、符号６６は、スイングアーム６２の先端部６４から軸方向に突出している平板状のスライド部材である。
【００２５】
次に、カートリッジケース２についてより詳細に説明する。
図１および図２に示すように、各インナプレート２０・・の外周縁には、リブ２２が上下に突出して形成されている。また、各インナプレート２０・・・の図１における右側の一部には、平面視で扇形の切欠２３が形成されており、各インナプレート２０・・・を積み重ねた状態では、各切欠２３によってカートリッジケース２の側面に開口部３が形成されている。この開口部３は、ディスクドライブ６０に設けられたスイングアーム６２がカートリッジケース２に出入するための部位である。
【００２６】
また、カートリッジケース２の開口部３は、ディスクスタック４０と同軸で回動する下ロータ２１に取り付けられたシャッタ４により開閉されるように構成されている。
下ロータ２１は、下プレート１０の上面に重ねて配置されており、およそ磁気ディスクメディア４１と同じ円盤状であり、各インナプレート２０・・・と同様に切欠２３が形成されている。この下ロータ２１の外縁部に設けられたギヤがディスクドライブ６０に設けられたシャッタオープンギヤ６７によって駆動されることにより、下ロータ２１が回動するように構成されている。
【００２７】
そして、シャッタ４は、下プレート１０に対して垂直に配置された平板であり、その基端部（図１における左側）が下ロータ２１の外縁部に取り付けられている。このシャッタ４はフレキシブルな素材によって形成されており、下ロータ２１の回動によって開口部３側に押し出されたシャッタ４の先端部（図１における右側）が、下プレート１０の上面に形成された凹溝１１に案内されて、下プレート１０の外縁部に沿って移動することにより、開口部３を閉塞するように構成されている。
【００２８】
また、開口部３内において、図１における右手奥側には、カートリッジケース２内に進入した磁気ヘッド６３の移動を案内するためのケース側ランプ機構５０が取り付けられている。このケース側ランプ機構５０は、磁気ディスクメディア４１上に掛かるようにして設けられている。
そして、ケース側ランプ機構５０に沿ってスイングアーム６２の一部であるスライド部材６６が移動することにより、磁気ヘッド６３が磁気ディスクメディア４１上に案内されるように構成されている。なお、ケース側ランプ機構５０は、図１および図３に示すように、スイングアーム６２を回動させた際のスライド部材６６の移動軌跡に沿って長手方向が湾曲している平板状の滑り部材であり、例えば、超高分子量ポリエチレンなどの滑り性に優れた材料から構成することができる。
【００２９】
さらに、ケース側ランプ機構５０は、各磁気ディスクメディア４１・・・の両面に対して２体１組で設けられており、磁気ディスクメディア４１を上下方向から挟み込むようにして１組のケース側ランプ機構５０，５０が配置されている。本実施形態では、５組のケース側ランプ機構５０、すなわち、１０体のケース側ランプ機構５０・・・が上下方向に所定の間隔を隔てて重ねた状態で並べられている。
なお、本実施形態では、ケース側ランプ機構５０において、カートリッジケース２の内方側に配置された端部を先端部５１とし、カートリッジケース２の外方側に配置された端部を基端部５２とする。
【００３０】
ケース側ランプ機構５０において、インナプレート２０側の側面には、固定用孔５３が貫通しているフランジ５４が突出しており、このフランジ５４の固定用孔５３をインナプレート２０に設けられたネジ孔（図示せず）に連通させ、固定用孔５３に挿通させたボルト５５をネジ孔に螺着させることにより、ケース側ランプ機構５０はカートリッジケース２に取り付けられている。
【００３１】
また、ケース側ランプ機構５０の先端部５１は、磁気ディスクメディア４１の表面に近接した状態で、磁気ディスクメディア４１上に掛かっている。すなわち、１組のケース側ランプ機構５０，５０の先端部５１，５１の間に、磁気ディスクメディア４１の外縁部が介在した状態となっている。
なお、フレキシブルな磁気ディスクメディア４１は、回転時にその外縁部が振動する場合がある。そこで、磁気ディスクメディア４１とケース側ランプ機構５０の接触を考慮して、ケース側ランプ機構５０の角部をなだらかに形成することにより、磁気ディスクメディア４１の損傷を防ぐことが好ましい。
【００３２】
さらに、ケース側ランプ機構５０において、磁気ディスクメディア４１の表面と略平行な平面に形成されたガイド面５６（磁気ディスクメディア４１の上面側に配置されたケース側ランプ機構５０では上面に相当し、磁気ディスクメディア４１の下面側に配置されたケース側ランプ機構５０では下面に相当する。）は、スイングアーム６２が回動した際に、スライド部材６６が摺動して案内される面であり、このガイド面５６は、ケース側ランプ機構５０の先端部５１において、磁気ディスクメディア４１の表面に向けて傾斜している。
【００３３】
また、ケース側ランプ機構５０の基端部５２には、ディスクドライブ６０に設けられたドライブ側ランプ機構７０が接続されるように構成されており、ケース側ランプ機構５０の基端部５２に形成された平面視で谷形の切欠５７（請求項における「係合部」）に、ドライブ側ランプ機構７０の一端に形成された平面視で山形の突出部が係合されている。このように、ケース側ランプ機構５０とドライブ側ランプ機構７０が係合されることにより、ケース側ランプ機構５０とドライブ側ランプ機構７０が別体であるにも拘わらず、両者５０，７０を確実に接続することができ、ケース側ランプ機構５０とドライブ側ランプ機構７０とのズレを防ぐことができる。
【００３４】
ドライブ側ランプ機構７０は、ケース側ランプ機構５０と同一厚さに形成された平板状の滑り部材であり、ケース側ランプ機構５０と同様にして、スイングアーム６２のスライド部材６６の移動軌跡に沿って長手方向が湾曲しており、各ケース側ランプ機構５０・・・に対応するようにして、１０体のドライブ側ランプ機構７０・・・が上下方向に所定間隔を隔てて重ねた状態で並べられている。
また、ドライブ側ランプ機構７０において、インナプレート２０側の側面には、ケース側ランプ機構５０と同様にして、固定用孔７１が貫通しているフランジ７２が形成されており、このフランジ７２の固定用孔７１に挿通させたネジ（図示せず）をディスクドライブ６０のネジ孔（図示せず）に螺着させることにより、ドライブ側ランプ機構７０はディスクドライブ６０に取り付けられている。
【００３５】
さらに、ドライブ側ランプ機構７０には、ケース側ランプ機構５０と接続した際に、ケース側ランプ機構５０のガイド面５６と同一平面を構成するガイド面７３が形成されている。
これにより、スイングアーム６２のスライド部材６６は、ケース側ランプ機構５０のガイド面５６およびドライブ側ランプ機構７０のガイド面７３を摺動しながらカートリッジケース２に出入することになる。
また、カートリッジケース２内から退避して、ディスクドライブ６０の待機位置に停止したスイングアーム６２は、そのスライド部材６６がドライブ側ランプ機構７０のガイド面７３に載置された状態となり、ドライブ側ランプ機構７０によって磁気ヘッド６３が位置決めされた状態となる。
【００３６】
次に、磁気ヘッド６３がカートリッジケース２に出入する態様について説明する。
まず、図１に示すように、ディスクドライブ６０に磁気ディスクカートリッジ１を装填する。このとき、シャッタオープンギヤ６７によって下ロータ２１が回動することにより、シャッタ４が退避し、開口部３が開放されるとともに、ドライブ側ランプ機構７０が開口部３内に進入して、各ケース側ランプ機構５０・・・と各ドライブ側ランプ機構７０・・・が係合した状態となる（図３参照）。
なお、ケース側ランプ機構５０は、磁気ディスクメディア４１の表面に近接した状態で、予めカートリッジケース２に取り付けられており、磁気ディスクカートリッジ１をディスクドライブ６０に装填する際には、従来のように、ディスクドライブ６０側のランプ機構に掛かるように進入させる必要がないため、磁気ディスクメディア４１とランプ機構との接触による損傷を防ぐことができる。
【００３７】
続いて、各磁気ヘッド６３・・・をカートリッジケース２内に進入させる際には、図１および図４に示すように、各スイングアーム６２・・・を回動させ、各スライド部材６６・・・を各ドライブ側ランプ機構７０・・・のガイド面７３および各ケース側ランプ機構５０・・のガイド面５６で摺動させながら、各スイングアーム６２・・・の先端部６４（図２参照）をカートリッジケース２の開口部３内に進入させる。これにより、各磁気ヘッド６３・・・は、ドライブ側ランプ機構７０・・・およびケース側ランプ機構５０・・・に案内されながら、カートリッジケース２内に進入することになり、磁気ディスクメディア４１の外縁部と磁気ヘッド６３との接触を防ぐことができる。
【００３８】
このようにして、各磁気ディスクメディア４１・・・上に各磁気ヘッド６３・・・をロードさせ、データの記録および／または再生を行いながら、各スイングアーム６２・・・の先端部６４を磁気ディスクメディア４１の中心部に向けて移動させる。
なお、ケース側ランプ機構５０の先端部５１まで移動したスライド部材６６は、図１に示すように、ケース側ランプ機構５０から降りることになるが、磁気ディスクメディア４１の回転に伴う気流による浮力によって、磁気ヘッド６３は磁気ディスクメディア４１の表面に近接した状態を保つことができる。
【００３９】
また、各磁気ヘッド６３・・・をカートリッジケース２内から退避させる場合には、図１および図４に示すように、各スイングアーム６２・・・の先端部６４（図２参照）を磁気ディスクメディア４１の外方側に向けて移動させる。そして、各スイングアーム６２・・・のスライド部材６６が各ケース側ランプ機構５０・・・のガイド面５６に乗り上げることにより、各ケース側ランプ機構５０・・・および各ドライブ側ランプ機構７０・・・に案内されながら、各磁気ヘッド６３・・・が各磁気ディスクメディア４１・・・上からアンロードし、カートリッジケース２内から退避することになる。
そして、カートリッジケース２内から退避した各スイングアーム６２・・・は、各ドライブ側ランプ機構７０・・・によって所定位置に保持されるため、カートリッジケース２の振動によって磁気ヘッド６３が他の部品に接触したり、一対の磁気ヘッド６３，６３が接触することが防止されている。
【００４０】
このように、本実施形態の磁気ディスクカートリッジ１では、  ケース側ランプ機構５０が予めカートリッジケースに取り付けられており、磁気ディスクカートリッジ１をディスクドライブ６０に装填した際には、従来のように、磁気ディスクメディア４１をディスクドライブ６０側のランプ機構に掛かるように進入させる必要がなくなるため、磁気ヘッド６３を磁気ディスクメディア４１上に案内するケース側ランプ機構５０を、磁気ディスクメディア４１の表面に近接させた構成であっても、磁気ディスクメディア４１とランプ機構との接触による損傷を防ぐことができる。
【００４１】
また、磁気ディスクメディア４１の表面にケース側ランプ機構５０を近接させることができるため、１枚の磁気ディスクメディア４１を収納するために必要な領域を小さくすることができる。これにより、カートリッジケース２内に収納可能な磁気ディスクメディア４１の枚数を多くすることができ、１個の磁気ディスクカートリッジ１の記憶容量を大きくすることができる。
【００４２】
以上、本発明の実施形態について説明したが、本発明は前記した実施形態に限定されることなく適宜変形して実施することが可能である。例えば、本実施形態では、記録ディスクメディアとして磁気ディスクメディア４１を適用したが、光によりデータを記録する光ディスクメディアの場合にも同様に適用することができる。
また、本実施形態では、スイングアーム６２の先端部６４に設けたスライド部材６６がケース側ランプ機構５０およびドライブ側ランプ機構７０のガイド面５６，７３を摺動するように構成されているが、スイングアーム６２の軸方向における中間部が各ガイド面５６，７３を摺動するように構成してもよい。
さらに、シャッタ４（図１参照）は、前記したように、ケース側ランプ機構５０よりもカートリッジケース２の外方側で開閉する構成に限定されるものではなく、例えば、ケース側ランプ機構５０の先端部５１（図３参照）が固定用孔５３を回転中心としてカートリッジケース２の外方側に向けて傾動するように構成し、ケース側ランプ機構５０よりもカートリッジケース２の内方側で開閉するシャッタ４が、ケース側ランプ機構５０の先端部５１を押し退けて閉じるように構成してもよい。
【図面の簡単な説明】
【００４３】
【図１】本実施形態の磁気ディスクカートリッジを示した外観斜視図である。
【図２】本実施形態の磁気ディスクカートリッジを示した図で、図１のII−II断面図である。
【図３】本実施形態のケース側ランプ機構を示した外観斜視図である。
【図４】本実施形態のケース側ランプ機構の積層構造を示した側断面図である。
【図５】従来の磁気ディスクカートリッジを示した図で、（ａ）はランプ機構の積層構造を示した側断面図、（ｂ）は磁気ヘッドの移動態様を示した平面図である。
【符号の説明】
【００４４】
１      磁気ディスクカートリッジ
２      カートリッジケース
３      開口部
４１    磁気ディスクメディア
５０    ケース側ランプ機構
５６    ガイド面
６０    ディスクドライブ
６１    アクチュエータ
６２    スイングアーム
６３    磁気ヘッド
７０    ドライブ側ランプ機構
７３    ガイド面
【図１】
2006054013.tif 000003
【図２】
2006054013.tif 000004
【図３】
2006054013.tif 000005
【図４】
2006054013.tif 000006
【図５】
2006054013.tif 000007